(57)【要約】【課題】比較的簡単な操作で効率よく迅速に、ユーザーが望む機器の情報を確認したり、各種のパラメータの設定などが行える電子機器を実現すること。【解決手段】タッチ操作とスライド操作が可能な操作入力部を有する電子機器において、  前記操作入力部の操作時間を測定する操作時間測定手段と、  操作時間測定手段の測定結果に基づきタッチ操作とスライド操作を識別する操作識別手段と、  操作識別手段の識別出力に基づき前記操作入力部で指定された所定の動作を実行する指定動作実行手段を設け、  通常の設定画面とは異なる第２の選択画面を表示することを特徴とするもの。【選択図】  図１
2016170758.tif 000002
【特許請求の範囲】
【請求項１】
タッチ操作とスライド操作が可能な操作入力部を有する電子機器において、
前記操作入力部の操作時間を測定する操作時間測定手段と、
操作時間測定手段の測定結果に基づきタッチ操作とスライド操作を識別する操作識別手段と、
操作識別手段の識別出力に基づき前記操作入力部で指定された所定の動作を実行する指定動作実行手段、
を設けたことを特徴とする電子機器。
【請求項２】
前記操作入力部は、少なくとも３個の独立したタッチ入力素子が配列されたものであることを特徴とする請求項１記載の電子機器。
【請求項３】
前記操作入力部は、多数のタッチ入力素子が平面的に配列されたものであることを特徴とする請求項１記載の電子機器。
【請求項４】
前記操作入力部で指定された所定の動作を実行することにより、通常の選択画面とは異なる第２の選択画面が表示されることを特徴とする請求項１記載の電子機器。
【請求項５】
前記電子機器は、フィールド機器であることを特徴とする請求項１から請求項４のいずれかに記載の電子機器。
【発明の詳細な説明】
【技術分野】
【０００１】
本発明は、電子機器に関し、詳しくは、ユーザーが表示部の表示を見ながらタッチ入力操作を行うように構成された操作部の改善に関する。
【背景技術】
【０００２】
電子機器の一種として、フィールド機器を挙げる。フィールド機器は、測定対象の温度や密度や粘度や流量などの各種の物理量をそれぞれの測定対象とする物理量に対応した所定の物理量センサ（以下センサという）で検出し、それらセンサの検出信号を４〜２０ｍＡの直流電流などに規格化された所定の電気信号に変換して伝送する。
【０００３】
図１１は、従来から用いられているフィールド機器の一例を示す構成説明図である。図１１において、フィールド機器は、測定部１０と、操作入力部２０と、表示部３０と、通信部４０と、ＣＰＵ５０と、メモリ６０と、電源部７０などで構成されている。なお、これら各部はバス８０を介して共通に接続されている。
【０００４】
測定部１０は、測定対象とする所定の物理量を検出するセンサ１１、センサ１１の検出信号を４〜２０ｍＡの直流電流などに規格化された所定の電気信号に変換する変換部１２などで構成されている。
【０００５】
操作入力部２０は、ユーザーが操作する操作部２１と、ユーザーによる操作部２１のタッチ操作やスライド操作を検知する操作検知部２２と、ユーザーによる操作部２１のタッチ操作やスライド操作に基づく各種パラメータの入力を制御する入力制御部２３などで構成されている。
【０００６】
表示部３０は、設定値や測定値やフィールド機器に固有の属性情報などの各種パラメータを表示する表示器３１と、表示器３１に表示すべき画面を生成する表示画面生成部３２と、生成された所定の表示画面を表示するように制御する表示制御部３３などで構成されている。
【０００７】
通信部４０は、フィールド機器と外部との間で、測定信号や設定信号や各種の制御信号などの授受を行う。
【０００８】
ＣＰＵ５０は、あらかじめ設定された所定のプログラムに基づいて、各部を統括的に制御するとともに、測定部１０の測定値に対する各種の演算処理なども実行する。
【０００９】
メモリ６０は、各種のプログラムや設定値や測定値やフィールド機器に固有の属性情報などの各種パラメータを格納する。
【００１０】
電源部７０は、機器の各部に所定の駆動電力を供給する。
【００１１】
図１２は、従来のフィールド機器の一例を示す正面図である。図１２において、フィールド機器の正面は円形に形成されていて、中心位置よりもやや上に位置するように矩形の表示器３１が設けられ、表示器３１の下部には直線的に配列された３個のタッチ入力素子として機能するタッチスイッチＴＳ１〜ＴＳ３よりなる操作部２１が設けられている。
【００１２】
図１３は、操作部２１の従来の操作説明図である。タッチスイッチＴＳ１〜ＴＳ３は、それぞれが個別に独立した状態で、ユーザーの指によるタッチ操作に連動したオンオフ信号を出力する。
【００１３】
これらタッチスイッチＴＳ１〜ＴＳ３は独立してユーザーの指を認識できることから、それぞれのタッチスイッチＴＳ１〜ＴＳ３から同時に入力することも可能である。また、タッチスイッチＴＳ１〜ＴＳ３はそれらの存在を常に認識できるので、長押しのタッチ操作にも対応している。
【００１４】
これらタッチスイッチＴＳ１〜ＴＳ３の表面上でユーザーが右から左方向や左から右方向の任意の方向に隣接する２個のタッチスイッチＴＳ１→ＴＳ２、ＴＳ２→ＴＳ３、ＴＳ３→ＴＳ２、ＴＳ２→ＴＳ１のいずれかにまたがるように指をスライドさせることにより、スライド方向に応じた順序で所定の時間差を有する２系統のオンオフ信号を出力する。
【００１５】
隣接する２個のタッチスイッチＴＳ１→ＴＳ２、ＴＳ２→ＴＳ３、ＴＳ３→ＴＳ２、ＴＳ２→ＴＳ１の２系統のオンオフ信号を検出することにより、ユーザーの指によるスライド操作とその方向を識別できる。
【００１６】
特許文献１には、ヒューマンマシンインタフェースを直感的かつ簡易に操作できる操作性の高いフィールド機器等を提供する技術が記載されている。
【先行技術文献】
【特許文献】
【００１７】
【特許文献１】特開２０１３−２７０２７号公報
【発明の開示】
【発明が解決しようとする課題】
【００１８】
しかし、図１２および図１３に示す操作部２１を用いた従来の設定処理手順によれば、スライド操作は行えるが、ユーザーが望む機器の情報を素早く確認したり、各種のパラメータを迅速に設定することなどが難しいという問題がある。
【００１９】
たとえば図１４のメニュー／パラメータの構成図に示すように、機器がツリー上に分類された多くのメニュー「Menu」とパラメータ「Param」を有する場合を考える。
【００２０】
図１４において、従来の設定処理手順でツリー上の階層３に含まれるパラメータ「Param 3-2-7」を選択する場合には、まずステップ１で階層１のメニュー群の中からメニュー「Menu3」を選択し、続くステップ２で階層２のメニュー「Menu3」のメニュー／パラメータ群の中からメニュー「Menu3-2」を選択し、さらにステップ３で階層３のメニュー「Menu3-2」のメニュー／パラメータ群の中からパラメータ「Param 3-2-7」を選択することになる。
【００２１】
図１５は表示器３１におけるパラメータの選択画面例図であり、ステップ３で階層３のメニュー「Menu3-2」のメニュー／パラメータ群の中からパラメータ「Param 3-2-7」の選択に辿り着くまでの途中の段階で「Param 3-2-2」を選択した状態を示している。
【００２２】
また、階層３に含まれるパラメータを変更する必要はなく、階層３に含まれるパラメータだけを確認したい場合でも、操作部２１の所定のタッチスイッチＴＳに複数回タッチして階層３へ移動した後、すべてのメニューまたはパラメータを表示して確認しなければならない。
【００２３】
図１６は、機器が異常を検知して３つのアラームが発生した状態の表示器３１における表示画面例である。アイコンＡＬ１はたとえば設定ミスが発生していることを示し、アイコンＡＬ２はデータ授受の実行中であることを示し、アイコンＡＬ３はたとえば測定値があらかじめ設定された警報値を超えた状態であることを示している。
【００２４】
これら発生したアラームＡＬ１〜ＡＬ３の詳細や意味を確認する場合にも、操作部２１の所定のタッチスイッチＴＳに複数回タッチしてアイコン選択モードに遷移させてカーソルＣＵを出現させた後、カーソルＣＵをその意味を確認したい該当するアイコンＡＬ１〜ＡＬ３のいずれかの下部へ移動させ、さらに決定機能が割り当てられている所定のタッチスイッチＴＳにタッチする必要がある。
【００２５】
図１７は、機器が検知した複数の情報を同時に表示器３１に表示させた表示画面例である。表示画面は、上部の日時表示領域３１ａと中央のメイン表示領域３１ｂと下部のサブ表示領域３１ｃの３つの表示領域に分割されていて、日時表示領域３１ａには日時情報が表示され、メイン表示領域３１ｂにはメイン情報が表示され、サブ表示領域３１ｃにはサブ情報が表示される。
【００２６】
ここで、メイン表示領域３１ｂに表示されるメイン情報を切り替えるのにあたっては、ユーザーは指を操作部２１の一端から他端までスライドさせるが、所望のメイン情報に切り替えるためには複数回の操作を必要とすることもある。
【００２７】
サブ表示領域３１ｃの表示内容だけを切り替えたい場合には、サブ表示領域３１ｃに表示するサブ情報の内容を指定するパラメータを変更しなければならず、それらの操作は煩雑である。
【００２８】
本発明は、これらの課題を解決するものであり、その目的は、比較的簡単な操作で効率よく迅速に、ユーザーが望む機器の情報を確認したり、各種のパラメータを設定できる電子機器を実現することにある。
【課題を解決するための手段】
【００２９】
このような課題を達成するために、本発明のうち請求項１記載の発明は、
タッチ操作とスライド操作が可能な操作入力部を有する電子機器において、
前記操作入力部の操作時間を測定する操作時間測定手段と、
操作時間測定手段の測定結果に基づきタッチ操作とスライド操作を識別する操作識別手段と、
操作識別手段の識別出力に基づき前記操作入力部で指定された所定の動作を実行する指定動作実行手段、
を設けたことを特徴とする。
【００３０】
請求項２記載の発明は、請求項１記載の電子機器において、
前記操作入力部は、少なくとも３個の独立したタッチ入力素子が配列されたものであることを特徴とする。
【００３１】
請求項３記載の発明は、請求項１記載の電子機器において、
前記操作入力部は、多数のタッチ入力素子が平面的に配列されたものであることを特徴とする。
【００３２】
請求項４記載の発明は、請求項１記載の電子機器において、
前記操作入力部で指定された所定の動作を実行することにより、通常の選択画面とは異なる第２の選択画面が表示されることを特徴とする。
【００３３】
請求項５記載の発明は、請求項１から請求項４のいずれかに記載の電子機器において、
前記電子機器は、フィールド機器であることを特徴とする。
【発明の効果】
【００３４】
これらにより、ユーザーは、比較的簡単な操作で効率よく迅速に、機器の情報を確認したり、各種のパラメータの設定などが行える電子機器を実現できる。
【００３５】
本発明をフィールド機器に適用することにより、フィールド機器の設置現場における作業者は、効率よく迅速に、フィールド機器の各種情報を確認したり、各種のパラメータの設定などが行える。
【図面の簡単な説明】
【００３６】
【図１】本発明の一実施例を示す構成説明図である。
【図２】図１に示す操作部２１に対する操作を処理する操作処理ブロック２２の具体例を示すブロック図である。
【図３】操作部２１のタッチスイッチＴＳ１〜ＴＳ３の操作に基づく処理の流れを説明するフローチャートである。
【図４】下位階層におけるメニュー項目選択表示画面例である。
【図５】サブメニュー３１ｅの表示画面例である。
【図６】複数のアイコンが表示された表示画面例である。
【図７】フィールド機器が検知した複数の情報を同時に表示させた画面例である。
【図８】表示画面上にサブメニューとして画面表示に関係する設定項目３１ｉを表示させた表示画面例である。
【図９】本発明の他の実施例を示す構成説明図である。
【図１０】図９のタブレットＴＢに対する操作を処理する操作処理ブロック２２の具体例を示すブロック図である。
【図１１】従来から用いられているフィールド機器の一例を示す構成説明図である。
【図１２】従来のフィールド機器の一例を示す正面図である。
【図１３】操作部２１の従来の操作説明図である。
【図１４】メニュー／パラメータの構成図である。
【図１５】表示器３１におけるパラメータの選択画面例図である。
【図１６】機器が異常を検知して３つのアラームが発生した状態の表示器３１における表示画面例である。
【図１７】機器が検知した複数の情報を同時に表示器３１に表示させた表示画面例である。
【発明を実施するための最良の形態】
【００３７】
以下、本発明の実施の形態について、図面を用いて詳細に説明する。図１は本発明の一実施例を示す構成説明図であり、図１３と共通する部分には同一の符号を付けている。図１が図１３と異なる点は、ユーザーが操作部２１に対して、タッチ操作とスライド操作を同時に実行していることである。
【００３８】
図１において、ユーザーは、第１の指ＦＧ１で操作部２１のタッチスイッチＴＳ１にタッチした状態で、第２の指ＦＧ２を操作部２１のタッチスイッチＴＳ２とＴＳ３の表面上でスライドさせる。これらタッチスイッチＴＳ１、ＴＳ２の操作は、どの手のどの指を使用してもよい。
【００３９】
図２は、図１に示す操作部２１に対する操作を処理する操作処理ブロック２２の具体例を示すブロック図である。図２において、第１スイッチ操作検出部２２ａ１はタッチスイッチＴＳ１の操作状態を検出して検出信号を操作時間測定部２２ｂ１に出力し、第２スイッチ操作検出部２２ａ２はタッチスイッチＴＳ２の操作状態を検出して検出信号を操作時間測定部２２ｂ２に出力し、第３スイッチ操作検出部２２ａ３はタッチスイッチＴＳ３の操作状態を検出して検出信号を操作時間測定部２２ｂ３に出力する。
【００４０】
各操作時間測定部２２ｂ１〜２２ｂ３の測定データは操作識別部２２ｃに入力される。操作識別部２２ｃは、それぞれのタッチスイッチＴＳ１〜ＴＳ３の操作時間の長短に基づいて、各タッチスイッチＴＳ１〜ＴＳ３に対する操作が、
ａ）比較的短時間のタッチ操作
ｂ）比較的長時間の長押し操作
ｃ）少なくとも隣接する２個のタッチスイッチＴＳ１→ＴＳ２、ＴＳ２→ＴＳ３、ＴＳ３→ＴＳ２、ＴＳ２→ＴＳ１のいずれかにまたがるように指をスライドさせるスライド操作
のいずれであるかを識別し、識別結果を指定動作実行部２２ｄに出力する。
【００４１】
指定動作実行部２２ｄは、操作識別部２２ｃから入力された識別結果に基づき、所定の指定信号を表示画面選択部２２ｅに出力する。
【００４２】
表示画面選択部２２ｅは、指定動作実行部２２ｄから入力された指定信号に基づき、所定の表示画面を選択するための選択信号を表示画面生成部２２ｆに出力する。
【００４３】
表示画面生成部２２ｆは、入力された選択信号に基づき、表示部２２ｇに表示すべき所定の表示画面を生成する。
【００４４】
表示部２２ｇは、ユーザーが操作部２１のタッチスイッチＴＳ１〜ＴＳ３を操作することにより指定され表示画面生成部２２ｆで生成された所定の画面を表示する。
【００４５】
図３は、操作部２１のタッチスイッチＴＳ１〜ＴＳ３の操作に基づく処理の流れを説明するフローチャートである。通常の表示／選択動作を実行している状態において（ステップＳ１）、操作部２１のタッチスイッチＴＳ１〜ＴＳ３のうち、下位階層への移行を指示するタッチスイッチ（たとえば左端のＴＳ１）が長押しされたか否かを判断する（ステップＳ２）。
【００４６】
下位階層への移行を指示するタッチスイッチが長押しされた場合には下位階層への移行処理を実行し（ステップＳ３）、下位階層への移行を指示するタッチスイッチが長押しされなかった場合にはステップＳ１に戻りステップＳ２までの処理を繰り返して実行する。なお、下位階層への移行処理の指示は、下位階層への移行を指示するタッチスイッチが長押しされている間、維持される。
【００４７】
ステップＳ３で下位階層への移行処理を実行すると、前述した操作部２１の残りの隣接するタッチスイッチ（たとえばＴＳ２とＴＳ３）に対するスライド操作が実行されたか否かを判断する（ステップＳ４）。
【００４８】
操作部２１の残りの隣接するタッチスイッチに対するスライド操作が実行された場合には、スライド操作に応じた動作を実行した後（ステップＳ５）、ステップＳ２に戻ってステップＳ５までの一連の処理を繰り返して実行する。
【００４９】
ステップＳ４で操作部２１の残りの隣接するタッチスイッチに対するスライド操作が実行されなかった場合には、他端のタッチスイッチ（たとえば右端のＴＳ３）の長押し操作が実行されたか否かを判断する（ステップＳ６）。
【００５０】
他端のタッチスイッチに対する長押し操作が実行された場合には、スライド操作が実行された場合とは異なるそのタッチスイッチの長押し操作に割り当てられた所定の処理を実行した後（ステップＳ７）、ステップＳ２に戻ってステップＳ７までの一連の処理を繰り返して実行する。
【００５１】
ステップＳ６で他端のタッチスイッチに対する長押し操作が実行されなかった場合も、ステップＳ２に戻ってステップＳ６までの一連の処理を繰り返して実行する。
【００５２】
このように構成することにより、たとえば前述の図１４に示すようなツリー上のパラメータ構成を持つ電子機器におけるパラメータの確認や選択を容易に実行できる。
【００５３】
図１４に示すパラメータツリー上のメニュー項目の選択にあたり、操作部２１の一端のタッチスイッチＴＳ１を片方の指で一定時間押さえる。するとタッチスイッチＴＳ１を指で押さえている間、電子機器は下位階層でのメニュー項目選択が可能なモードへ移行し、そのメニュー項目に含まれるメニューまたはパラメータ、つまり現時点の階層よりも１つ下位の階層が表示される。
【００５４】
図４は、下位階層におけるメニュー項目選択表示画面例である。図４の表示画面例では、通常のメニュー選択画面とは異なることを示すために、選択対象となる４つのメニュー項目全体を囲むように黒枠３１ｄが表示されている。
【００５５】
図４に示すメニュー項目選択表示画面において、操作部２１の一端のタッチスイッチＴＳ１を一方の指で押さえながら他方の指で残りの隣接するタッチスイッチＴＳ２とＴＳ３に対して右方向または左方向へスライド操作することにより、現時点の階層よりも１つ下位の階層を表示しながらスクロールすることができ、そこに含まれるメニューまたはパラメータを確認することができる。
【００５６】
さらにその状態で、操作部２１の一端のタッチスイッチＴＳ１を一方の指で押さえながら、操作部２１の他端のタッチスイッチＴＳ３を他方の指で一定時間押さえることにより、スクロールした先のメニューまたはパラメータを選択することができる。
【００５７】
また、図４に示すメニュー項目選択表示画面において、パラメータツリー上の任意のパラメータ上で操作部２１の一端のタッチスイッチＴＳ１を片方の指で一定時間押さえると、図５に示すように第２の選択画面であるサブメニュー３１ｅが表示される。一方の指で操作部２１の一端を押さえながら、他方の指で操作部２１の残りの領域をスライド操作することにより、そのサブメニューをスクロールさせることができる。また、操作部２１の他端を他方の指で一定時間押さえることにより、そのサブメニュー項目を選択することができる。
【００５８】
図６は、複数のアイコンが表示された表示画面例である。図６において、操作部２１の一端のタッチスイッチＴＳ１を一方の指で一定時間押さえることにより、アイコン近傍にカーソルＣＵを表示させる。
【００５９】
このカーソルＣＵはタッチスイッチＴＳ１を指で押さえている間は表示され、画面上にはそのカーソルＣＵが指し示すアイコンの説明画面３１ｆが表示される。また、他方の指で操作部２１の残りの領域をスライド操作することにより、カーソルＣＵを移動させることができ、操作部２１の他端を他方の指で一定時間押さえることにより、カーソルＣＵが指し示すアイコンを選択して決定することができる。
【００６０】
図７は、フィールド機器が検知した複数の情報を同時に表示させた画面例である。この状態で操作部２１の一端のタッチスイッチＴＳ１を片方の指で一定時間押さえると、サブ表示領域３１ｃに表示されるサブ情報を切り替え可能な状態になる。この状態では、サブ情報が切り替え可能であることを示す左右の矢印３１ｇ、３１ｈが画面上のサブ表示領域３１ｃの左右に表示される。
【００６１】
サブ表示領域３１ｃの左右に矢印３１ｇ、３１ｈが表示されることにより、サブ情報が切り替え可能な状態であることを示す。このとき、他方の指で操作部２１の残りの領域をスライド操作することにより、画面下部のサブ表示領域３１ｃに表示されるサブ情報を切り替えることができる。
【００６２】
図８は、表示画面上に第２の選択画面として画面表示に関係する設定項目３１ｉを表示させた表示画面例である。表示画面の状態にかかわらず操作部２１の一端のタッチスイッチＴＳ１を一方の指で一定時間押さえることにより、画面表示に関する設定が可能な第２の選択画面であるサブメニューが画面に表示される。
【００６３】
このとき、他方の指で操作部２１の残りの領域をスライド操作することによりそのサブメニューをスクロールさせることができ、一端のタッチスイッチＴＳ１を一方の指で一定時間押さえることにより、そのサブメニュー項目を選択することができる。
【００６４】
スライド操作が可能な操作部２１において、２本の指を使用し、一方の指で操作部２１の一端のタッチスイッチＴＳ１を押しながら他方の指で操作部２１の残りの領域をスライド操作することにより、パラメータツリー上でパラメータの選択および確認を容易に行うことができ、電子機器が提供する各種の情報を従来よりも素早く選択および確認することができる。
【００６５】
なお、図４に示すメニュー項目選択表示画面では、他方の指のスライド操作でパラメータまたはメニューの画面をスクロールして所望のパラメータを選択したいときは一方の指で操作部２１の一端のタッチスイッチＴＳ１を押さえているが、操作部２１の端部のタッチスイッチＴＳ１ではなく、操作部２１の中央部のタッチスイッチＴＳ２を押さえるようにすることにより、下位階層画面の高速スクロールが実現できる。
【００６６】
また、図８において、操作部２１の一端のタッチスイッチＴＳ１を押さえると画面表示に関する第２の選択画面であるサブメニューが表示されるが、他端のタッチスイッチＴＳ３を押さえると機器全般を設定するサブメニューが表示される。つまり、操作部２１の一端のタッチスイッチＴＳ１を押さえるか、他端のタッチスイッチＴＳ３を押さえるかによって、画面に表示される内容を変えることができる。
【００６７】
図９は、本発明の他の実施例を示す構成説明図である。図９では、操作部２１として、多数のタッチ入力素子が平面的に配列されたタブレットＴＢを用いている。この場合、一方の指ＦＧ１でタブレットＴＢの任意の点を押さえながら、他方の指ＦＧ２でタブレットＴＢの他の領域をスライド操作する。
【００６８】
図１０は図９のタブレットＴＢに対する操作を処理する操作処理ブロック２２の具体例を示すブロック図であり、図２と共通する部分には同一の符号を付けている。図１０において、操作検出部２２ａは、タブレットＴＢの全領域におけるそれぞれの指ＦＧ１、ＦＧ２の位置情報を検出する。
【００６９】
操作時間測定部２２ｂは、操作検出部２２ａから出力されるそれぞれの指ＦＧ１、ＦＧ２の位置情報の変化に基づきそれぞれの指ＦＧ１、ＦＧ２の操作時間を測定する。
【００７０】
操作識別部２２ｃは、操作時間測定部２２ｂで測定された操作時間の長短に基づき、それぞれの指ＦＧ１、ＦＧ２による操作が、
ａ）比較的短時間のタッチ操作
ｂ）比較的長時間の長押し操作
ｃ）スライド操作
のいずれであるかを識別する。
【００７１】
指定動作実行部２２ｄは、操作識別部２２ｃから入力された識別結果に基づき、所定の指定信号を表示画面選択部２２ｅに出力する。
【００７２】
表示画面選択部２２ｅは、指定動作実行部２２ｄから入力された指定信号に基づき、所定の表示画面を選択するための選択信号を表示画面生成部２２ｆに出力する。
【００７３】
表示画面生成部２２ｆは、入力された選択信号に基づき、表示部２２ｇに表示すべき所定の表示画面を生成する。
【００７４】
表示部２２ｇは、ユーザーが操作部２１のタブレットＴＢを操作することにより指定され表示画面生成部２２ｆで生成された所定の画面を表示する。
【００７５】
上記各実施例では電子機器がたとえばプロセス制御系などで用いられるフィールド機器の例について説明したが、本発明はフィールド機器に限るものではなく、各種の電子機器における階層化されたメニュー選択やパラメータ設定などにも適用できるものである。
【００７６】
特に、１本の指のみで操作した場合、下位階層における選択が可能なモードから通常のモードに戻るためには同一の指による別の操作が必要になるが、本発明によれば操作部２１の所定部分を長押ししていた指を離すだけでよく、迅速な操作が行える。
【００７７】
以上説明したように、本発明によれば、比較的簡単な操作で効率よく迅速に、ユーザーが望む機器の情報を確認したり、各種のパラメータの設定などが行える電子機器を実現できる。
【符号の説明】
【００７８】
１０  測定部
１１  センサ
１２  変換部
２０  操作入力部
２１  操作部
２２  操作処理ブロック
２２ａ  スイッチ操作検出部
２２ｂ  操作時間測定部
２２ｃ  操作識別部
２２ｄ  指定動作実行部
２２ｅ  表示画面選択部
２２ｆ  表示画面生成部
２２ｇ  表示部
２３  入力制御部
３０  表示部
３１  表示器
３２  表示画面生成部
３３  表示制御部
４０  通信部
５０  ＣＰＵ
６０  メモリ
７０  電源部
８０  バス
ＴＳ１〜ＴＳ３  タッチスイッチ
ＡＬ１〜ＡＬ３  アラーム
ＣＵ  カーソル
ＴＢ  タブレット
【図１】
2016170758.tif 000003
【図２】
2016170758.tif 000004
【図３】
2016170758.tif 000005
【図４】
2016170758.tif 000006
【図５】
2016170758.tif 000007
【図６】
2016170758.tif 000008
【図７】
2016170758.tif 000009
【図８】
2016170758.tif 000010
【図９】
2016170758.tif 000011
【図１０】
2016170758.tif 000012
【図１１】
2016170758.tif 000013
【図１２】
2016170758.tif 000014
【図１３】
2016170758.tif 000015
【図１４】
2016170758.tif 000016
【図１５】
2016170758.tif 000017
【図１６】
2016170758.tif 000018
【図１７】
2016170758.tif 000019